(57)【要約】【課題】ディスク内に流入した熱媒体の流速を安定して大きくすることで熱媒体からディスクに効率的に熱伝導すること、ひいては、処理効率を向上することが可能なディスク型撹拌処理装置を提供すること。【解決手段】ドラムと、中空回転軸２と、前記中空回転軸２に複数配置され内部に熱媒体が流通可能とされるディスク３とを備えたディスク型撹拌処理装置であって、前記回転軸２内に配置され内部に第１の空間Ｐが形成され前記中空回転軸２との間に第２の空間Ｖを形成される内管２３と、前記第１の空間Ｐと第１のディスクの熱媒体流入部Ｋ１と接続される熱媒体供給パイプ２４と、前記第２の空間Ｖと第２のディスク３Ｄに接続される熱媒体排出パイプ２６と、前記第１のディスク３Ａから流出される熱媒体を前記第２のディスク３Ｄに向かって移送する熱媒体移送パイプ２５とを備えることを特徴とする。【選択図】図３
2015004495.tif 000002
【特許請求の範囲】
【請求項１】
筒状に形成された筒状体と、前記筒状体の両端に形成された固定部材とを有するドラムと、
前記ドラム内において軸線の周りに回転され、内部に空間が形成された回転軸と、
前記回転軸に設けられ前記回転軸の軸線方向に複数配置されるとともに、内部に熱媒体が流通可能とされ供給された熱媒体の熱を処理対象物に伝導するディスクと、を備えたディスク型撹拌処理装置であって、
前記ディスク内を移動する熱媒体の流速を大きくする熱媒体移送機構を備え、
前記熱媒体移送機構は、
前記回転軸内に配置され、内部に第１の空間が形成されるとともに前記回転軸との間に第２の空間を形成する内管と、
一端が前記第１の空間と前記第２の空間のいずれか一方と接続されて他端が第１のディスクの熱媒体流入部と接続され、熱媒体を前記第１のディスクに供給する熱媒体供給路と、
一端が前記第１の空間と前記第２の空間の他方に接続されて他端が第２のディスクの熱媒体流出部に接続され、熱媒体を前記第２のディスクから流出させる熱媒体排出路と、
前記第１のディスクの熱媒体流出部から流出される熱媒体を前記第２のディスクの熱媒体流入部に向かって移送する熱媒体移送路と、を備えることを特徴とするディスク型撹拌処理装置。
【請求項２】
請求項１に記載のディスク型撹拌処理装置であって、
前記熱媒体移送機構は、
前記第１のディスクと前記第２のディスクの間にディスクが配置されている場合に、
前記熱媒体移送路は、
前記第１のディスクの熱媒体流出部から前記第２のディスクに熱媒体流入部に至るまで、互いに隣接するディスクの熱媒体流出部と熱媒体流入部とを順次接続するように構成されていることを特徴とするディスク型撹拌処理装置。
【請求項３】
請求項１又は請求項２に記載のディスク型撹拌処理装置であって、
前記ディスクは、前記熱媒体流入部から前記熱媒体流出部に向かって流れる熱媒体の経路を長くするバッフル部材を備えることを特徴とするディスク型撹拌処理装置。
【請求項４】
請求項１から請求項３のいずれか１項に記載のディスク型撹拌処理装置であって、
複数の前記熱媒体移送機構を備えることを特徴とするディスク型撹拌処理装置。
【発明の詳細な説明】
【技術分野】
【０００１】
この発明は、筐体内に配置されて、回転軸の軸線方向に配列され内部に熱媒体が流通される複数のディスクを回転させながら、筐体内に投入された処理対象物に対して、熱媒体の熱により、熱処理、反応、加熱、乾燥等の処理をおこなうディスク型撹拌処理装置に関する。
【背景技術】
【０００２】
従来、多くの産業分野で、ディスク型撹拌処理装置が使用されている。例えば、一般工業製品や、フィッシュミールの等の飼料、肥料製造用として、合成樹脂等の化学製品製造用として、あるいは工場廃水や下水処理にともなって排出される産廃スラッジ、汚泥などの処理対象物の処理用等として使用されている。
【０００３】
ディスク型撹拌処理装置は、例えば、両端部に側壁部が設けられ、ドラム外周にジャケットを有するとともに、内部に空間を有する密閉状の横置配置されたドラムと、そのドラムの軸線位置においてドラムを貫通するように設けられ回転自在とされた中空回転軸と、その中空回転軸の軸線方向に所定の間隔をあけて配置され、中空回転軸の内部から熱媒体が流通可能とされた複数のディスクとを備えたディスク型乾燥処理装置が開示されている。（例えば、特許文献１、特許文献２参照。）。
【０００４】
上記複数個の中空円盤状のディスクは、例えば、ステンレス鋼などからなり中央が膨出して形成された２枚のドーナツ板を、膨出した側を互いに軸方向の反対側を向けて配置して、外周縁部が溶接により接合して構成されている。
【０００５】
また、ディスク型撹拌処理装置は、ドラムの軸線方向の一方側に、処理対象物をドラム内に投入する投入口が設けられ、軸線方向の他方側に、処理対象物をドラム内から排出する排出口が設けられている。そして、投入口から投入された処理対象物は、中空回転軸とともに回転するディスクによってドラム内において撹拌されながら、ドラム内を投入口から排出口に向かって移送されるようになっている。
【０００６】
また、ドラム内を移送される処理対象物は、中空回転軸を介してディスクに供給された水蒸気や温水等の熱媒体によって間接的に加熱又は冷却されて、処理対象物は、例えば、加熱されることにより乾燥物等の処理物とされて、排出口からドラム外に排出されるようになっている。
【０００７】
また、ディスク型撹拌処理装置には、例えば、ドラムの軸線方向の他方側の上部にキャリアガスとして空気を供給するキャリアガス供給口が設けられ、軸線方向の一方側の上部にはキャリアガス排出口が設けられている。
【０００８】
そして、キャリアガス供給口から供給されたキャリアガスは、ドラム内を移動しながら、処理対象物から放出された水蒸気等を、ドラム外に速やかに排出するようになっている。
【先行技術文献】
【特許文献】
【０００９】
【特許文献１】特開２００６−３４９３１６号公報
【特許文献２】特開２００９−４５５２５号公報
【発明の概要】
【発明が解決しようとする課題】
【００１０】
しかしながら、上記従来のディスク型撹拌処理装置では、熱媒体が中空回転軸に形成された複数の開口を介して中空回転軸からディスク内に流通されていて、開口を通過してディスク内に流入した熱媒体は、ディスク内において種々の方向に広がって流速が低下するので、ディスク内における境膜係数が低下し、熱媒体の熱が効率的にディスクに伝導されることが困難となり、ひいては処理効率が低下するという問題があった。
【００１１】
そこで、ディスク型撹拌処理装置において、ディスク内に流入した熱媒体の熱が、ディスクに効率的に伝導され、ひいては、処理効率を向上することが可能なディスク型撹拌処理装置に対する強い要請がある。
【００１２】
この発明は、このような事情を考慮してなされたものであり、ディスク内に流入した熱媒体の流速を安定して大きくすることで熱媒体からディスクに効率的に熱伝導すること、ひいては、処理効率を向上することが可能なディスク型撹拌処理装置を提供することを目的とする。
【課題を解決するための手段】
【００１３】
上記課題を解決するために、この発明は以下の手段を提案している。
請求項１に記載の発明は、筒状に形成された筒状体と、前記筒状体の両端に形成された固定部材とを有するドラムと、前記ドラム内において軸線の周りに回転され、内部に空間が形成された回転軸と、前記回転軸に設けられ前記回転軸の軸線方向に複数配置されるとともに、内部に熱媒体が流通可能とされ供給された熱媒体の熱を処理対象物に伝導するディスクと、を備えたディスク型撹拌処理装置であって、前記ディスク内を移動する熱媒体の流速を大きくする熱媒体移送機構を備え、前記熱媒体移送機構は、前記回転軸内に配置され、内部に第１の空間が形成されるとともに前記回転軸との間に第２の空間を形成する内管と、一端が前記第１の空間と前記第２の空間のいずれか一方と接続されて他端が第１のディスクの熱媒体流入部と接続され、熱媒体を前記第１のディスクに供給する熱媒体供給路と、一端が前記第１の空間と前記第２の空間の他方に接続されて他端が第２のディスクの熱媒体流出部に接続され、熱媒体を前記第２のディスクから流出させる熱媒体排出路と、前記第１のディスクの熱媒体流出部から流出される熱媒体を前記第２のディスクの熱媒体流入部に向かって移送する熱媒体移送路と、を備えることを特徴とする。
【００１４】
この発明に係るディスク型撹拌処理装置によれば、ドラムと、ドラム内において軸線の周りに回転され内部に空間が形成された回転軸と、回転軸に設けられ回転軸の軸線方向に複数配置されるとともに、内部に熱媒体が流通可能とされ供給された熱媒体の熱を処理対象物に伝導するディスクと、を備えたディスク型撹拌処理装置であって、ディスク内を移動する熱媒体の流速を大きくする熱媒体移送機構を備え、熱媒体移送機構は、回転軸内に配置され、内部に第１の空間が形成されるとともに回転軸との間に第２の空間を形成する内管と、一端が第１の空間と第２の空間のいずれか一方と接続されて他端が第１のディスクの熱媒体流入部と接続され、熱媒体を第１のディスクに供給する熱媒体供給路と、一端が第１の空間と第２の空間の他方に接続されて他端が第２のディスクの熱媒体流出部に接続され、熱媒体を第２のディスクから流出させる熱媒体排出路と、第１のディスクの熱媒体流出部から流出される熱媒体を第２のディスクの熱媒体流入部に向かって移送する熱媒体移送路とを備えている。
その結果、第２のディスクは、第１の空間又は第２の空間から熱媒体が直接流入されることはなく、少なくとも第１のディスク内を流通してから流入されるので、各ディスク内における熱媒体の流速が大きくなる。その結果、各ディスク内における境膜係数が増大して、各ディスク内において、熱媒体の熱が各ディスクに効率的に伝導され、ひいては、処理効率を向上することができる。
【００１５】
請求項２に記載の発明は、請求項１に記載のディスク型撹拌処理装置であって、前記熱媒体移送機構は、前記第１のディスクと前記第２のディスクの間にディスクが配置されている場合に、前記熱媒体移送路は、前記第１のディスクの熱媒体流出部から前記第２のディスクの熱媒体流入部に至るまで、互いに隣接するディスクの熱媒体流出部と熱媒体流入部とを順次接続するように構成されていることを特徴とする。
【００１６】
この発明に係るディスク型撹拌処理装置によれば、熱媒体移送機構は、第１のディスクと第２のディスクの間にディスクが配置されている場合に、熱媒体移送路は、第１のディスクの熱媒体流出部から第２のディスクに熱媒体流入部に至るまで、互いに隣接するディスクの熱媒体流出部と熱媒体流入部とを順次接続するように構成されているので、各ディスクを通過する熱媒体の流速が接続されたディスクの数に応じて大きくなり、ひいては各ディスクにおいて、効率的に熱伝導させることができる。
【００１７】
請求項３に記載の発明は、請求項１又は請求項２に記載のディスク型撹拌処理装置であって、前記ディスクは、前記熱媒体流入部から前記熱媒体流出部に向かって流れる熱媒体の経路を長くするバッフル部材を備えることを特徴とする。
【００１８】
この発明に係るディスク型撹拌処理装置によれば、ディスクに、熱媒体流入部から熱媒体流出部に向かって流れる熱媒体の経路を長くするバッフル部材を備えているので、ディスク内における熱媒体の流速を効率的に大きくすることができるとともに、ディスク全体を均一に加熱することができ、その結果、ディスク内において効率的に熱伝導することができる。
【００１９】
請求項４に記載の発明は、請求項１から請求項３のいずれか１項に記載のディスク型撹拌処理装置であって、複数の前記熱媒体移送機構を備えることを特徴とする。
【００２０】
この発明に係るディスク型撹拌処理装置によれば、複数の前記熱媒体移送機構を備えているので、ディスク型撹拌処理装置の処理効率を向上することができる。
【発明の効果】
【００２１】
この発明に係るディスク型撹拌処理装置によれば、ディスク内における熱媒体の流速が高速になるので、ディスク内に流入した熱媒体の熱がディスクに効率的に、且つ均一に伝導され、ひいては、処理効率を向上することができる。
【図面の簡単な説明】
【００２２】
【図１】本発明の一実施形態に係るディスク型撹拌処理装置の概略構成の一例を正面から見た一部断面図である。
【図２】一実施形態に係るディスク型撹拌処理装置の概略構成の一例を説明する図であり、図１におけるＸ１−Ｘ１矢視した断面図である。
【図３】一実施形態に係るディスク型撹拌処理装置の概略構成の一例を説明する図であり、中空回転軸にディスクが取り付けられた状態の軸線を含む断面を示す図である。
【図４】一実施形態に係るディスク型撹拌処理装置に関して、ディスクの概略構成を説明する図であり、図３に示す回転軸及び熱媒体供給路の中心を含むディスクの断面を示す図である。
【図５】一実施形態に係るディスク型撹拌処理装置に関して、ディスクの概略構成を説明する図であり、図３に示すＸ２−Ｘ２矢視断面においてディスクを示す図である。
【図６】一実施形態に係るディスク型撹拌処理装置に関して、ディスクの概略構成を説明する図であり、図３に示すＸ３−Ｘ３矢視断面においてディスクを示す図である。
【図７】一実施形態に係るディスク型撹拌処理装置に関して、ディスクの概略構成を説明する図であり、図３に示すＸ４−Ｘ４矢視断面においてディスクを示す図である。
【発明を実施するための形態】
【００２３】
以下、図１〜図６を参照して、本発明の一実施形態について説明する。
図１は、一実施形態に係るディスク型乾燥処理装置（ディスク型撹拌処理装置）の概略構成の一例を正面から見た一部断面図であり、符号Ｄは、ディスク型撹拌処理装置を、符号３はディスクを示している。
一実施形態に係るディスク型乾燥処理装置Ｄは、図１に示すように、ドラム１と、中空回転軸（回転軸）２と、複数のディスク３と、熱媒体移送機構４とを備えている。
また、複数のディスク３は、例えば、４つのセクションＳ１、Ｓ２、Ｓ３、Ｓ４に区分されて、各セクションＳ１・・・Ｓ４において、ディスク３には、熱媒体移送機構４によって熱媒体が供給されるとともに、ディスク３から熱媒体が排出されるようになっている。
【００２４】
ドラム１は、筒状に形成された筒状体１Ａと、筒状体１Ａの両端に形成された固定側壁部（固定部材）１Ｂ、固定側壁部（固定部材）１Ｃとを備え、所定量容の空間を有する筒型に構成されている。
【００２５】
また、ドラム１は、中空回転軸２の軸線方向から見たときの断面が、図２に示すように、下部に形成された略円筒形状の部分と、略円筒形状の部分の上方に形成された略矩形のキャリアガス流路とを備えていて、ディスク３の周囲には、筒状体１Ａとの間に適度な隙間が形成されている。
【００２６】
ドラム１の軸線方向の一方側（図１では左側）の上部には、処理対象物を投入する投入口１０が設けられるとともに、その軸線方向の他方側（図１では右側）には、処理対象物が処理されて生成された乾燥物等の処理物を、ドラム１の外部に排出するための処理物排出機構１１が設けられている。以下、ドラム１の左側をドラム１の一方側、右側をドラム１の他方側として説明する。
【００２７】
処理物排出機構１１は、例えば、仕切板が配置されていて、処理物が仕切板を超えることにより、生成された処理物が、ドラム１の外部に排出されるように構成されている。
また、仕切板は、上下動可能とされていて、ドラム１内における処理対象物の充填量及び滞留時間を調整できるようになっている。
【００２８】
また、ドラム１の他方側の上部には、キャリアガス供給口１２が設けられるとともに、一方側の上部にキャリアガス排出口１３が設けられていて、キャリアガス供給口１２から供給された空気等からなるキャリアガスは、処理対象物の移送方向と対向する方向に移動することにより、処理対象物が乾燥されて生じた水蒸気等を速やかにキャリアガス排出口１３から排出するようになっている。
【００２９】
また、ドラム１の外周部にはジャケット１４が設けられており、ドラム１の上流側の下方に形成された熱媒体供給口１４Ａから供給された熱媒体がジャケット内を流通してドラム１の下流側の上部に形成された熱媒体排出口１４Ｂから排出されることで、処理対象物を加熱することができるようになっている。
【００３０】
中空回転軸２は、図２に示すように、ドラム１の軸心位置に配置されていて、固定側壁部１Ｂ及び固定側壁部１Ｃを貫通し、ドラム１の一方側から他方側に向かって形成されている。
そして、中空回転軸２の一方側（図１では左側）は、ドラム１の外側においてスプロケット２０が連結されている。
【００３１】
また、このスプロケット２０は、チェーン等の伝達機構を介して、モータ等からなる図示しない駆動源と連結されていて、この駆動源が駆動されて、スプロケット２０を回転することにより、図１に示す矢印Ｔ方向に、中空回転軸２が回転するように構成されている。以下、中空回転軸２の左側を中空回転軸２の一方側、右側を中空回転軸２の他方側という。
【００３２】
中空回転軸２は、他方側に回転ジョイントを介して蒸気や温水等の熱媒体を供給するための熱媒体供給口２１が設けられるとともに、一方側に回転ジョイントを介して熱媒体排出口２２が設けられ、熱媒体供給口２１から供給された熱媒体は、内管２３、ディスク３、中空回転軸２を経由して、熱媒体排出口２２から外部に排出されるように構成されている。
【００３３】
ディスク３は、例えば、図３に示すように、中空回転軸２に対して、軸線方向に所定の間隔をあけて複数配列された構成とされている。
また、それぞれのディスク３は、中央に中空回転軸２が挿入されるとともに中央部が膨出する２枚のドーナツ板３０ａ、３０ｂを、互いに外方が膨出する向きに配置して接続され、内部に所定容量の空間（熱伝導空間）３２が形成されている。
また、ディスク３は、上述のように、４つのセクションＳ１、Ｓ２、Ｓ３、Ｓ４に区分されて、各セクションＳ１・・・Ｓ４のディスクは、蒸気が熱媒体移送機構４によって供給、排出さ熱れるようになっている。
【００３４】
熱媒体移送機構４は、内管２３と、熱媒体供給パイプ（熱媒体供給路）２４と、熱媒体移送パイプ（熱媒体移送路）２５と、熱媒体排出パイプ（熱媒体排出路）２６とを備えていて、複数のディスク３を熱媒体が直列的に通過することにより、ディスク３内における熱媒体の流速を大きくして、境膜係数を増加するように構成されている。
【００３５】
内管２３は、図３に示すように、例えば、中空回転軸２内に設けられ、中空回転軸２の軸線と同軸に配置される鋼製のパイプからなり、軸線方向の一端側（図３において左側）は閉塞されて支持部材２７を介して中空回転軸２の内壁に支持され、他端側（図３において右側）は開口されて中空回転軸２の他方側に位置される熱媒体導入孔を介して熱媒体供給口２１と接続されている。
【００３６】
熱媒体供給パイプ２４は、内管２３から径方向外方に向かって形成され、一端側が内管２３の内部に形成された第１の空間Ｐと接続され、他端側は、各セクションＳ１・・・Ｓ４において、最も上流側に位置される第１のディスク３Ａの熱媒体流入部Ｋ１を介して空間３２に接続されていて、内管２３の内部からディスク３内の空間３２に熱媒体が供給可能とされている。
【００３７】
熱媒体移送パイプ２５は、例えば、湾曲された鋼製パイプからなり、各セクションＳ１・・・Ｓ４において、隣接配置されるディスク３を熱媒体が流通可能に接続するようになっていて、図３のセクションＳ２に示すように、第１のディスク３Ａの熱媒体流出部Ｋ２から軸方向において隣接するディスク３Ｂの熱媒体流入部Ｋ１までを接続し、最も下流側に位置される第２のディスク３Ｄに至るまで、ディスク３Ｂの熱媒体流出部Ｋ２からディスク３Ｃの熱媒体流入部Ｋ１まで、ディスク３Ｃの熱媒体流出部Ｋ２から第２のディスク３Ｄの熱媒体流入部Ｋ１までを順次接続するように構成されている。
【００３８】
なお、図３に示した熱媒体流入部Ｋ１、熱媒体移送パイプ２５、熱媒体流出部Ｋ２の位置関係は、便宜のために、概念的に示したものであり、これらの配置は、実用可能な範囲で任意に設定することができる。
【００３９】
熱媒体排出パイプ（熱媒体排出路）２６は、一端側が内管２３と中空回転軸２の間に形成される第２の空間Ｖと連通し、他端側が第２のディスク３Ｄの熱媒体流出部Ｋ２を介して第２のディスク３Ｄ内の空間３２に開口し、第２のディスク３Ｄから排出される熱媒体を内管２３と中空回転軸２の間に形成される第２の空間Ｖに排出するようになっている。
【００４０】
ディスク３（３Ａ、３Ｂ、３Ｃ、３Ｄ）は、図４に示すように、２枚のドーナツ板３０ａ、３０ｂの外周縁部が接続されるとともに、ディスク３の内周側において、２枚のドーナツ板３０ａ、３０ｂが、中空回転軸２の軸線方向に所定間隔を保って補強支持部材３１によって接続された構成とされている。また、中央側に形成される孔には、中空回転軸２が挿入されて、中空回転軸２と固定されている。
【００４１】
第１のディスク３Ａは、図５に示すように、内部の空間３２に、中空回転軸２側から径方向外方に伸びる仕切板（バッフル部材）３３が形成されていて、仕切板３３を挟んで一方側に位置される熱媒体流入部Ｋ１には、熱媒体供給パイプ２４の他端側が接続され、他方側に位置される熱媒体流出部Ｋ２には、熱媒体移送パイプ２５の上流側が接続されている。
【００４２】
また、ディスク３Ｂ、３Ｃは、図６に示すように、内部の空間３２に、中空回転軸２側から径方向外方に伸びる仕切板３３が形成されていて、仕切板３３を挟んで一方側に位置される熱媒体流入部Ｋ１には、上流側のディスク３から熱媒体を移送する熱媒体移送パイプ２５の下流側（他端側）が接続され、他方側に位置される熱媒体流出部Ｋ２には下流側のディスクに熱媒体を移送する熱媒体移送パイプ２５の上流側が接続されるようになっている。
【００４３】
また、第２のディスク３Ｄは、図７に示すように、内部の空間３２に、中空回転軸２側から径方向外方に伸びる仕切板３３が形成されていて、仕切板３３を挟んで一方側に位置される熱媒体流入部Ｋ１には、上流側のディスク３から熱媒体を移送する熱媒体移送パイプ２５の下流側（他端側）が接続され、他方側に位置される熱媒体流出部Ｋ２から熱媒体を第２のディスク３Ｄから第２の空間Ｖに排出可能とされている。
【００４４】
また、各ディスク３の空間３２には、熱媒体流入部Ｋ１から熱媒体流出部Ｋ２に向かって、周方向に間隔をあけて複数のじゃま板３４が形成されていて、ディスク３内を熱媒体流入部Ｋ１から熱媒体流出部Ｋ２に流通する熱媒体の経路の断面積を部分的に縮小するとともに、熱媒体の経路のを長くするように構成されている。
【００４５】
じゃま板３４は、中空回転軸２側から径方向外方に伸び外周側にディスク３の外周側内壁と間隙が形成されたじゃま板３４Ａと、ディスク３外周の内壁から径方向内方に伸び中空回転軸２側に間隙が形成されたじゃま板３４Ｂを備え、じゃま板３４Ａとじゃま板３４Ｂは、周方向に交互に配置されていて、熱媒体がディスク３内を、周方向に流通する際に径方向にジグザグに移動するようになっている。
【００４６】
また、各ディスク３は、周囲に周方向に間隔をあけて複数の図示しない送り羽根が取り付けられていて、中空回転軸２が回転されると、処理対象物を中空回転軸２の軸心方向の一方側から他方側に向けて移送するようになっている。
【００４７】
次に、ディスク型乾燥処理装置Ｄの作用について説明する。
この実施形態において、例えば、処理対象物は水分、有機溶媒等を含んだ乾燥対象物、熱媒体は熱媒油、温水、冷水、キャリアガスは空気、窒素等とされている。
【００４８】
まず、ディスク型乾燥処理装置Ｄに対し、投入口１０からドラム１内に処理対象物が投入される。
また、熱媒体供給口２１から中空回転軸２を介して内管２３に熱媒体が導入されるとともに、キャリアガス供給口１２からドラム１内にキャリアガスが供給される。また、熱媒体供給口１４Ａからジャケット１４に熱媒体を供給する。
【００４９】
内管２３内に導入された熱媒体は、熱媒体供給パイプ２４を経由して第１のディスク３Ａ内に供給される。
【００５０】
第１のディスク３Ａに供給された熱媒体は、図５に示すように、仕切板３３及びじゃま板３４により、矢印Ｊ方向に、熱媒体がディスク３内を周方向に移動しながら、径方向において、ジグザグに移動する。
そして、第１のディスク３Ａの熱媒体流出部Ｋ２から流出し、熱媒体移送パイプ２５を介して、下流側のディスク３Ｂに移送される。
ディスク３Ｂに移送された熱媒体は、第１のディスク３Ａ内と同様に移動し、これは、第２のディスク３Ｄまで順次繰り返される。
次に、第２のディスク３Ｄ内を熱媒体流出部Ｋ２まで移動した熱媒体は、熱媒体排出パイプ２６を介して第２の空間Ｖに排出される。
【００５１】
処理対象物は、上述のように加熱されたディスク３及びジャケット１４の内壁と接触して、撹拌、移送されながら間接的に加熱され、処理対象物が含んでいた水分、有機溶媒等は、蒸気になって処理対象物から放出される。また、処理対象物が含んでいた水分、有機溶媒等が放出されることにより処理物が生成される。
【００５２】
次に、処理対象物から放出された水分、有機溶媒等は、キャリアガス供給口１２から供給されたキャリアガスによってキャリアガス排出口１３側に移動されて、キャリアガス排出口１３からドラム１外に排出される。
【００５３】
次いで、生成された処理物は、ドラム１の他方側に設けられた処理物排出機構１１まで移送されて、処理物排出機構１１からドラム１外に排出される。
【００５４】
一実施形態に係るディスク型撹拌処理装置Ｄによれば、ディスク３内において、熱媒体の流速が安定して大きくなるので、ディスク３内に流入した熱媒体の熱がディスク３に効率的に伝導され、ひいては、ディスク型撹拌処理装置Ｄの処理効率を向上することができる。
【００５５】
一実施形態に係るディスク型撹拌処理装置Ｄによれば、第１のディスク３Ａから第２のディスク３Ｄに至るまで、熱媒体が各ディスク３Ａ、３Ｂ、３Ｃ、３Ｄを順次直列的に流通するので、熱媒体の流速が大きくなり、ひいては各ディスク３内における境膜係数が増大して、効率的に熱伝導させることができる。
【００５６】
一実施形態に係るディスク型撹拌処理装置Ｄによれば、各ディスク３が、仕切板３３及びじゃま板３４を備えているので、ディスク３内における熱媒体の流速を効率的に大きくすることができ、その結果、ディスク３内の境膜係数が増大して、効率的に熱伝導することができる。
【００５７】
一実施形態に係るディスク型撹拌処理装置Ｄによれば、複数の熱媒体移送機構４を備えているので、処理効率を向上することができる。
【００５８】
なお、上記の実施形態において記載した技術的事項については、上記実施形態に限定されることなく、発明の趣旨を逸脱しない範囲で種々の変更を加えることが可能である。
【００５９】
例えば、上記実施の形態においては、ディスク型処理装置が、ディスク型乾燥装置Ｄである場合について説明したが、ディスク型乾燥装置以外に適用してもよい。
また、上記実施の形態においては、ディスク型乾燥処理装置Ｄが、ディスク３が４つのセクションに区分されて、４つの熱媒体移送機構４を備える場合について説明したが、熱媒体移送機構をいくつ備えるかは、任意に設定することができる。
【００６０】
また、上記実施の形態においては、例えば、各セクションＳが４つのディスク３により構成される場合について説明したが、各セクションＳを構成するディスク３の数は、２つ以上の任意の数に設定することができ、また、各セクションＳを構成するディスク３の数を異なる数に設定してもよい。
【００６１】
また、上記実施の形態においては、例えば、熱媒体供給パイプ２４が内管２３内に形成される第１の空間Ｐと接続され、熱媒体排出パイプ２６が内管２３と中空回転軸２の間に形成される第２の空間Ｖに接続されて、熱媒体が内管２３、ディスク３、中空回転軸２（空間Ｖ）の順に流通する場合について説明したが、熱媒体排出パイプ（熱媒体排出路）を第２の空間Ｖと接続し、熱媒体供給路を第１の空間Ｐと接続して、熱媒体が中空回転軸２、ディスク３、内管２３の順に流通する構成としてもよい。
【００６２】
また、上記実施の形態においては、すべてのディスク３が、内部に仕切板３３及びじゃま板（バッフル部材）３４を備える場合について説明したが、例えば、一部のディスクがじゃま板３４を備えてもよいし、すべてのディスク３がじゃま板３４を備えない構成としてもよい。
【００６３】
また、上記実施の形態においては、熱媒体として、熱媒油、温水又は冷却水等、液体の熱媒体を用いることが好適であるが、蒸気を適用してもよい。
また、上記実施の形態においては、ドラム１がジャケット１４を有する場合について説明したが、ジャケット１４を有さない構成としてもよい。
【産業上の利用可能性】
【００６４】
本発明に係るディスク型撹拌処理装置によれば、ディスク内に流入した熱媒体の流速を安定して大きくすることで熱媒体からディスクに効率的に熱伝導することができるので、産業上利用可能である。
【符号の説明】
【００６５】
Ｄ  ディスク型乾燥処理装置（ディスク型撹拌処理装置）
Ｓ、Ｓ１、Ｓ２、Ｓ３、Ｓ４  セクション
Ｐ  第１の空間
Ｖ  第２の空間
１  ドラム
１Ａ  筒状体
１Ｂ、１Ｃ  固定側壁部（固定部材）
２  中空回転軸（回転軸）
３、３Ａ、３Ｂ、３Ｃ、３Ｄ  ディスク
３Ａ  第１のディスク
３Ｄ  第２のディスク
４  熱媒体移送機構
１４  ジャケット
３３  仕切板（バッフル部材）
３４、３４Ａ、３４Ｂ  じゃま板（バッフル部材）
３２  空間（熱伝導空間）
２３  内管
２４  熱媒体供給パイプ（熱媒体供給路）
２５  熱媒体移送パイプ（熱媒体移送路）
２６  熱媒体排出パイプ（熱媒体排出路）
【図１】
2015004495.tif 000003
【図２】
2015004495.tif 000004
【図３】
2015004495.tif 000005
【図４】
2015004495.tif 000006
【図５】
2015004495.tif 000007
【図６】
2015004495.tif 000008
【図７】
2015004495.tif 000009